(57)【特許請求の範囲】
【請求項１】
加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ出湯されていない時、暖房回路の暖房用循環ポンプから送り出される温水の温度が、暖房を行う時の通常温度である床暖通常設定温度になるように貯湯缶体内の目標温水温度を設定すると共に、暖房用循環ポンプを連続運転し、前記暖房運転スイッチがＯＮの状態で且つ出湯されている時、給湯回路から送り出される温水の温度が給湯運転のための設定温度である給湯運転設定温度になるように、貯湯缶体内の目標温水温度を設定すると共に、暖房用循環ポンプを停止することを特徴とする給湯暖房装置。
【請求項２】
加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ出湯されていない時、暖房回路の暖房用循環ポンプから送り出される温水の温度が、床暖房を行う時の通常温度である床暖通常設定温度になるように貯湯缶体内の目標温水温度を設定すると共に、暖房用循環ポンプを連続運転し、前記暖房運転スイッチがＯＮの状態で且つ出湯されている時、給湯回路から送り出される温水の温度が、給湯運転のための設定温度である給湯運転設定温度になるように貯湯缶体内の目標温水温度を設定すると共に、暖房用循環ポンプを間欠運転することを特徴とする給湯暖房装置。
【請求項３】
加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ給湯運転スイッチがＯＦＦの状態の時、暖房回路の暖房用循環ポンプから送り出される温水の温度が、床暖房を行う時の通常温度である床暖通常設定温度になるように貯湯缶体内の目標温水温度を設定すると共に、暖房用循環ポンプを連続運転し、前記暖房運転スイッチ及び給湯運転スイッチがＯＮの状態で且つ出湯されていない時、暖房回路の暖房用循環ポンプから送り出される温水の温度が、床暖房を行う時の温水の設定温度範囲の最高温度である床暖設定範囲内上限温度になるように貯湯缶体内の目標温水温度を設定すると共に、暖房用循環ポンプを連続運転し、前記暖房運転スイッチ及び給湯運転スイッチがＯＮの状態で且つ出湯されている時、給湯回路から送り出される温水の温度が、給湯運転のための設定温度である給湯運転設定温度になるように貯湯缶体内の目標温水温度を設定すると共に、暖房用循環ポンプを停止することを特徴とする給湯暖房装置。
【請求項４】
加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ給湯運転スイッチがＯＦＦの状態の時、暖房回路の暖房用循環ポンプから送り出される温水の温度が、床暖房を行う時の通常温度である床暖通常設定温度になるように貯湯缶体内の目標温水温度を設定すると共に、暖房用循環ポンプを連続運転し、前記暖房運転スイッチ及び給湯運転スイッチがＯＮの状態で且つ出湯されていない時、暖房回路の暖房用循環ポンプから送り出される温水の温度が床暖房を行う時の温水の設定温度範囲の最高温度である床暖設定範囲内上限温度になるように、貯湯缶体内の目標温水温度を設定すると共に、暖房用循環ポンプを連続運転し、前記暖房運転スイッチ及び給湯運転スイッチがＯＮの状態で且つ出湯されている時、給湯回路から送り出される温水の温度が給湯運転のための設定温度である給湯運転設定温度になるように、貯湯缶体内の目標温水温度を設定すると共に、暖房用循環ポンプを間欠運転することを特徴とする給湯暖房装置。
【請求項５】
前記暖房運転スイッチ及び給湯運転スイッチがＯＮの状態で且つ出湯されている状態から、前記暖房運転スイッチがＯＮの状態で且つ給湯運転スイッチがＯＦＦの状態又は、前記暖房運転スイッチ及び給湯運転スイッチがＯＮの状態で且つ出湯されていない状態になった時、バーナ部の燃焼を停止すると共に、前記暖房回路の暖房用循環ポンプから送り出される温水の温度が、床暖房を行う暖房回路に循環させられる許容範囲の上限温度である床暖上限温度以下になったのを検知した時、暖房用循環ポンプを運転することを特徴とする請求項１〜４記載の給湯暖房装置。
【発明の詳細な説明】
【０００１】
【発明の属する技術分野】
この発明は給湯暖房装置、特に１つの缶体で、給湯、暖房、風呂の３水路を形成する１缶３水路式給湯暖房装置に関するものである。
【０００２】
【従来の技術】
従来よりこの種のものに於いては、下部にバーナ部を備えた１つの貯湯缶体内に、第１の水路の熱交換器となる第１の蛇管と、第２の水路の熱交換器となる第２の蛇管とを備え、貯湯缶体内の温水で給湯を行うと共に、この貯湯缶体内の温水と熱交換する第１の蛇管と第２の蛇管とで、温水を循環させる温水暖房と風呂の追い焚きや保温を行ったり、又は貯湯缶体内の温水で温水暖房を行うと共に、この貯湯缶体内の温水と熱交換する第１の蛇管と第２の蛇管とで、給湯と風呂の追い焚きや保温を行うもので、給湯回路、暖房回路、風呂回路の３つの機能を１台の給湯暖房装置で行うことで利便性を計ると共に、設置スペースを小さくすることができるものであった。
【０００３】
そしてその温水を循環させる温水暖房として、温水を８０℃前後の高温にして、ファンコンベクターやパネルコンベクター等の暖房機器に循環させて、温風暖房や輻射暖房を行うものと、温水を４０〜６０℃くらいの低中温にして、床下に設置した床暖房システムに循環させて、床面からの輻射暖房を行うものがある。
【０００４】
又給湯は、給湯回路内の出湯栓が開いて出湯されると、貯湯缶体内の温水で給湯を行うものでは、貯湯缶体内の温水を８０〜９０℃くらいまで加熱して、この高温水を給湯回路に設けたミキシング弁で水道水を混合させて、設定された出湯温度に調整して出湯し、又第１の蛇管又は第２の蛇管により給湯を行うものでは、貯湯缶体内の温水を９０℃以上に加熱して、その貯湯缶体内の温水と蛇管とで熱交換し、蛇管内を通過する温水を７０〜９０℃くらいに加熱して、この高温水を給湯回路に設けたミキシング弁で水道水を混合させて、設定された出湯温度に調整して出湯するものであった。
【０００５】
【発明が解決しようとする課題】
ところでこの従来のものでは、給湯運転と暖房運転とが同時に行われる場合、暖房がファンコンベクターやパネルコンベクター等による高温水循環での温水暖房ならば、貯湯缶体内の温水で給湯を行うものの場合、貯湯缶体内の温水を給湯のため８０〜９０℃くらいまで加熱すると、貯湯缶体内の温水と熱交換する暖房回路の蛇管内の温水も８０℃前後の高温になるが、そのまま暖房回路に循環させても問題なく、又貯湯缶体内の温水で暖房を行い、貯湯缶体内の温水と熱交換する蛇管内の温水で給湯を行うものの場合、貯湯缶体内の温水と熱交換する蛇管内の温水を７０〜９０℃くらいに加熱するために、貯湯缶体内の温水を９０℃以上に加熱するが、その高温の貯湯缶体内の温水を暖房回路に循環させても、循環する温水としては多少温度が高いくらいなので、さほど問題はなかった。
【０００６】
しかし、暖房が床に設置した床暖房システムによる低中温水循環での温水暖房ならば、貯湯缶体内の温水で給湯を行うものの場合、貯湯缶体内の温水を給湯のため８０〜９０℃くらいまで加熱すると、貯湯缶体内の温水と熱交換する暖房回路の蛇管内の温水も８０℃前後の高温になり、この高温の温水をそのまま暖房回路に循環させると、床面の温度が高くなり過ぎたり、床暖房システム内の温水配管が合成樹脂管やゴム管ならば熱で変形や破損したりする可能性がありそのまま循環させることができず、又貯湯缶体内の温水で暖房を行い、貯湯缶体内の温水と熱交換する蛇管内の温水で給湯を行うものの場合も、給湯するために結果として暖房回路を循環する温水の温度が高温となり、そのまま循環させることができなかった。
【０００７】
【課題を解決するための手段】
本発明はこの点に着目し上記欠点を解決するため、特にその構成を、請求項１では、加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ出湯されていない時、暖房回路の暖房用循環ポンプから送り出される温水の温度が、暖房を行う時の通常温度である床暖通常設定温度になるように貯湯缶体内の目標温水温度を設定すると共に、暖房用循環ポンプを連続運転し、前記暖房運転スイッチがＯＮの状態で且つ出湯されている時、給湯回路から送り出される温水の温度が給湯運転のための設定温度である給湯運転設定温度になるように、貯湯缶体内の目標温水温度を設定すると共に、暖房用循環ポンプを停止するものである。
【０００８】
又本発明の請求項２に係る給湯暖房装置では、特にその構成を、加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ出湯されていない時、暖房回路の暖房用循環ポンプから送り出される温水の温度が、床暖房を行う時の通常温度である床暖通常設定温度になるように貯湯缶体内の目標温水温度を設定すると共に、暖房用循環ポンプを連続運転し、前記暖房運転スイッチがＯＮの状態で且つ出湯されている時、給湯回路から送り出される温水の温度が、給湯運転のための設定温度である給湯運転設定温度になるように貯湯缶体内の目標温水温度を設定すると共に、暖房用循環ポンプを間欠運転するものである。
【０００９】
又本発明の請求項３に係る給湯暖房装置では、特にその構成を、加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ給湯運転スイッチがＯＦＦの状態の時、暖房回路の暖房用循環ポンプから送り出される温水の温度が、床暖房を行う時の通常温度である床暖通常設定温度になるように貯湯缶体内の目標温水温度を設定すると共に、暖房用循環ポンプを連続運転し、前記暖房運転スイッチ及び給湯運転スイッチがＯＮの状態で且つ出湯されていない時、暖房回路の暖房用循環ポンプから送り出される温水の温度が、床暖房を行う時の温水の設定温度範囲の最高温度である床暖設定範囲内上限温度になるように貯湯缶体内の目標温水温度を設定すると共に、暖房用循環ポンプを連続運転し、前記暖房運転スイッチ及び給湯運転スイッチがＯＮの状態で且つ出湯されている時、給湯回路から送り出される温水の温度が、給湯運転のための設定温度である給湯運転設定温度になるように貯湯缶体内の目標温水温度を設定すると共に、暖房用循環ポンプを停止するものである。
【００１０】
又本発明の請求項４に係る給湯暖房装置では、特にその構成を、加熱用のバーナ部と、該バーナ部の燃焼により缶体内の温水が加熱される貯湯缶体と、該貯湯缶体内に設けられ、貯湯缶体内の温水と熱交換する第１の熱交換器とを備え、前記貯湯缶体内の温水による温水回路と、第１の熱交換器により熱交換される温水による温水回路とにより、給湯回路と、暖房用循環ポンプを備えた暖房回路とを形成し、給湯運転スイッチや暖房運転スイッチ等を有するリモコンの操作により給湯、暖房運転を行う給湯暖房装置に於いて、前記暖房運転スイッチがＯＮの状態で且つ給湯運転スイッチがＯＦＦの状態の時、暖房回路の暖房用循環ポンプから送り出される温水の温度が、床暖房を行う時の通常温度である床暖通常設定温度になるように貯湯缶体内の目標温水温度を設定すると共に、暖房用循環ポンプを連続運転し、前記暖房運転スイッチ及び給湯運転スイッチがＯＮの状態で且つ出湯されていない時、暖房回路の暖房用循環ポンプから送り出される温水の温度が床暖房を行う時の温水の設定温度範囲の最高温度である床暖設定範囲内上限温度になるように、貯湯缶体内の目標温水温度を設定すると共に、暖房用循環ポンプを連続運転し、前記暖房運転スイッチ及び給湯運転スイッチがＯＮの状態で且つ出湯されている時、給湯回路から送り出される温水の温度が給湯運転のための設定温度である給湯運転設定温度になるように、貯湯缶体内の目標温水温度を設定すると共に、暖房用循環ポンプを間欠運転するものである。
【００１１】
又本発明の請求項５に係る給湯暖房装置では、特にその構成を、請求項１〜４に於いて、前記暖房運転スイッチ及び給湯運転スイッチがＯＮの状態で且つ出湯されている状態から、前記暖房運転スイッチがＯＮの状態で且つ給湯運転スイッチがＯＦＦの状態又は、前記暖房運転スイッチ及び給湯運転スイッチがＯＮの状態で且つ出湯されていない状態になった時、バーナ部の燃焼を停止すると共に、前記暖房回路の暖房用循環ポンプから送り出される温水の温度が、床暖房を行う暖房回路に循環させられる許容範囲の上限温度である床暖上限温度以下になったのを検知した時、暖房用循環ポンプを運転するものである。
【００１２】
【発明の実施の形態】
前記構成による請求項１記載の給湯暖房装置によれば、貯湯缶体内の温水による温水回路と、該貯湯缶体内に設けられ、貯湯缶体内の温水と熱交換する第１の熱交換器により熱交換される温水による温水回路とにより、給湯回路と、暖房用循環ポンプを備えた暖房回路とを形成した給湯暖房装置に於いて、暖房運転スイッチがＯＮの状態で且つ出湯されていない時、暖房回路の暖房用循環ポンプから送り出される温水の温度が、床暖通常設定温度になるように貯湯缶体内の目標温水温度を設定して暖房用循環ポンプを連続運転し、前記暖房運転スイッチがＯＮの状態で且つ出湯されている時、給湯回路から送り出される温水の温度が、給湯運転設定温度になるように貯湯缶体内の目標温水温度を設定して暖房用循環ポンプを停止するものである。
【００１３】
これにより、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプが停止しているので、暖房回路に送り込まれず、低中温水を循環させる床暖房システムに高温の温水が循環されることによる床面の過熱や床暖房システムの配管の変形、破損が防止できるものである。
【００１４】
又、暖房運転中に出湯し、その出湯が止まった時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、暖房運転時の出湯による暖房運転の停止状態を短くすることができ、出湯時の暖房用循環ポンプの停止による暖房運転の低下を早く回復することができるものである。
【００１５】
前記構成による請求項２記載の給湯暖房装置によれば、貯湯缶体内の温水による温水回路と、該貯湯缶体内に設けられ、貯湯缶体内の温水と熱交換する第１の熱交換器により熱交換される温水による温水回路とにより、給湯回路と、暖房用循環ポンプを備えた暖房回路とを形成した給湯暖房装置に於いて、前記暖房運転スイッチがＯＮの状態で且つ出湯されていない時、暖房回路の暖房用循環ポンプから送り出される温水の温度が、床暖通常設定温度になるように貯湯缶体内の目標温水温度を設定して暖房用循環ポンプを連続運転し、前記暖房運転スイッチがＯＮの状態で且つ出湯されている時、給湯回路から送り出される温水の温度が、給湯運転設定温度になるように、貯湯缶体内の目標温水温度を設定して暖房用循環ポンプを間欠運転するものである。
【００１６】
これにより、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプを間欠運転させているので、暖房回路に連続して循環されず、低中温水を循環させる床暖房システムに高温の温水が循環されることによる床面の過熱や床暖房システムの配管の変形、破損が発生するのをできるだけ少なくしつつ、出湯中の暖房運転の低下を少なくできるものである。
【００１７】
又、暖房運転中に出湯し、その出湯が止まった時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、出湯による暖房運転の間欠運転状態を短くすることができ、出湯時の暖房用循環ポンプの間欠運転による暖房運転の低下を少なくすることができるものである。
【００１８】
前記構成による請求項３記載の給湯暖房装置によれば、貯湯缶体内の温水による温水回路と、該貯湯缶体内に設けられ、貯湯缶体内の温水と熱交換する第１の熱交換器により熱交換される温水による温水回路とにより、給湯回路と、暖房用循環ポンプを備えた暖房回路とを形成し、給湯運転はリモコンの給湯運転スイッチがＯＮの状態で出湯栓が開かれた時に開始する給湯暖房装置に於いて、前記暖房運転スイッチがＯＮで且つ給湯運転スイッチがＯＦＦの時、暖房回路の暖房用循環ポンプから送り出される温水の温度が、床暖通常設定温度になるように貯湯缶体内の目標温水温度を設定して暖房用循環ポンプを連続運転し、暖房運転スイッチ及び給湯運転スイッチがＯＮで且つ出湯されていない時、暖房回路の暖房用循環ポンプから送り出される温水の温度が、床暖設定範囲内上限温度になるように貯湯缶体内の目標温水温度を設定して暖房用循環ポンプを連続運転し、暖房運転スイッチ及び給湯運転スイッチがＯＮで且つ出湯されている時、給湯回路から送り出される温水の温度が、給湯運転設定温度になるように貯湯缶体内の目標温水温度を設定して暖房用循環ポンプを停止するものである。
【００１９】
これにより、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプが停止しているので、暖房回路に送り込まれず、低中温水を循環させる床暖房システムに高温の温水が循環されることによる床面の過熱や床暖房システムの配管の変形、破損が防止できるものである。
【００２０】
又、暖房運転を行っていて、給湯運転スイッチがＯＦＦの時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、暖房運転中で出湯時の暖房用循環ポンプの停止による暖房運転の低下を早く回復することができるものである。
【００２１】
又、暖房運転中に出湯はしないものの給湯運転スイッチがＯＮになった時、暖房回路の暖房用循環ポンプから送り出される温水の温度が、床暖通常設定温度より高い床暖設定範囲内上限温度になるように、貯湯缶体内の目標温水温度を設定して暖房用循環ポンプを連続運転するので、暖房運転を継続して行うことにより暖房運転の低下を防止すると共に、その状態で出湯が開始された時、給湯回路から送り出される温水の温度が出湯するための高温となるように、貯湯缶体内の温水が給湯運転時の所定温度に上昇するまでの時間を短くすることができ、それにより暖房運転中の出湯開始直後の出湯温度の立ち上がりを早くすることができるものである。
【００２２】
前記構成による請求項４記載の給湯暖房装置によれば、貯湯缶体内の温水による温水回路と、該貯湯缶体内に設けられ、貯湯缶体内の温水と熱交換する第１の熱交換器により熱交換される温水による温水回路とにより、給湯回路と、暖房用循環ポンプを備えた暖房回路とを形成し、給湯運転はリモコンの給湯運転スイッチがＯＮの状態で出湯栓が開かれた時に開始する給湯暖房装置に於いて、前記暖房運転スイッチがＯＮで且つ給湯運転スイッチがＯＦＦの時、暖房回路の暖房用循環ポンプから送り出される温水の温度が、床暖通常設定温度になるように貯湯缶体内の目標温水温度を設定して暖房用循環ポンプを連続運転し、暖房運転スイッチ及び給湯運転スイッチがＯＮで且つ出湯されていない時、暖房回路の暖房用循環ポンプから送り出される温水の温度が、床暖設定範囲内上限温度になるように貯湯缶体内の目標温水温度を設定して暖房用循環ポンプを連続運転し、暖房運転スイッチ及び給湯運転スイッチがＯＮで且つ出湯されている時、給湯回路から送り出される温水の温度が、給湯運転設定温度になるように貯湯缶体内の目標温水温度を設定して暖房用循環ポンプを間欠運転するものである。
【００２３】
これにより、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプを間欠運転させているので、暖房回路に連続して循環されず、低中温水を循環させる床暖房システムに高温の温水が循環されることによる床面の過熱や床暖房システムの配管の変形、破損が発生するのをできるだけ少なくしつつ、出湯中の暖房運転の低下を少なくできるものである。
【００２４】
又、暖房運転を行っていて、給湯運転スイッチがＯＦＦの時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、暖房運転中で出湯時の暖房用循環ポンプの停止による暖房運転の低下を早く回復することができるものである。
【００２５】
又、暖房運転中に出湯はしないものの給湯運転スイッチがＯＮになった時、暖房回路の暖房用循環ポンプから送り出される温水の温度が、床暖通常設定温度より高い床暖設定範囲内上限温度になるように、貯湯缶体内の目標温水温度を設定して暖房用循環ポンプを連続運転するので、暖房運転を継続して行うことにより暖房運転の低下を防止すると共に、その状態で出湯が開始された時、給湯回路から送り出される温水の温度が出湯するための高温となるように、貯湯缶体内の温水が給湯運転時の所定温度に上昇するまでの時間を短くすることができ、それにより暖房運転中の出湯開始直後の出湯温度の立ち上がりを早くすることができるものである。
【００２６】
前記構成による請求項５記載の給湯暖房装置によれば、請求項１〜４の給湯暖房装置において、暖房運転及び給湯運転を行って出湯されている状態から、暖房運転を行っていて且つ給湯運転スイッチがＯＦＦの状態又は、暖房運転を行っていて且つ給湯運転スイッチがＯＮで出湯されていない状態になった時、バーナ部の燃焼を停止し、その後暖房用循環ポンプから送り出される温水の温度が、床暖房システムに循環させられる許容範囲の上限温度である床暖上限温度以下になったのを検知した時、暖房用循環ポンプを運転するものである。
【００２７】
これにより、出湯中の状態から、給湯運転スイッチがＯＮ状態であって出湯されていない状態になった時、バーナ部の燃焼を停止して、暖房運転を早く再開するために、床暖設定範囲内上限温度より高温で、床暖房システムに循環させることが許される上限温度である床暖上限温度以下までに暖房用循環ポンプから送り出される温水が温度低下したら、暖房運転を再開するので、暖房運転中で出湯時の暖房用循環ポンプの停止による暖房運転の低下を早く回復することができるものである。
【００２８】
【実施例】
次に、この発明に係る給湯暖房装置を図面に示された一実施例で説明する。
１は温水を貯湯する貯湯缶体からなる暖房用缶体で、下部に加熱用のバーナ部２を備える燃焼室３を形成したもので、この暖房用缶体１内方には第１の熱交換器として、蛇管による間接加熱式の給湯用の熱交換器を構成する給湯用熱交換器４と、第２の熱交換器として、蛇管による間接加熱式の風呂焚き用の熱交換器を構成する風呂用熱交換器５とを上下に配設し、温水暖房を行うと共に給湯及び風呂焚きを同時またはそれぞれ単独でも行えるようにしたものである。
【００２９】
まず、暖房回路Ａについて説明すると、６は暖房往き管、７は例えば床暖房パネル等の床暖房用放熱器、８は暖房戻り管、９は暖房用循環ポンプ、１０は気液分離器、１１は暖房用膨張タンク、１２は開閉弁１３が設けられた暖房バイパス管、１４は暖房用缶体１内の温水温度制御に用いる缶体温度センサで、暖房用缶体１にてバーナ部２の燃焼で缶体温度センサ１４の制御目標温水温度（床暖房で約４０℃〜６０℃程度）まで加熱された熱媒体が、暖房用循環ポンプ９により暖房往き管６を介して床暖房用放熱器７に送られて暖房を行い、床暖房用放熱器７で放熱した低温水（約３０℃〜５０℃程度）が暖房戻り管８を介して暖房用缶体１に戻り、再度制御目標温度まで加熱されて循環するものである。
【００３０】
次に、給湯回路Ｂについて説明すると、１５は水道に接続された給水管、１６は水の流量を検知する流量センサ、１７は給湯用熱交換器４で加熱された温水を出湯する給湯管、１８は給湯栓、１９はミキシング弁２０を介して給湯管１７に接続され給水管１５と給湯管１７とを連通する給湯バイパス管、２１は給湯栓１８の閉止時の熱膨張を吸収する給湯用膨張タンク、２２は給水温度センサ、２３は給湯温度センサで、給湯栓１８が開かれて流量センサ１６が最低作動流量を検知すると、暖房用缶体１内の熱媒体の温度を約９０℃以上の高温に維持するようバーナ部２で燃焼を行い、給水管１５からの冷水が給湯用熱交換器４で暖房用缶体１内の高温の熱媒体により間接加熱され、ミキシング弁２０で水道水と混合され適温に調節されて給湯栓１８から給湯されるものである。
【００３１】
次に、風呂回路Ｃについて説明すると、２４は風呂浴槽、２５は風呂往き管、２６は風呂戻り管、２７は戻り管２６に設けられた風呂循環ポンプ、２８は循環の有無を検知する流水スイッチ、２９は風呂温度センサで、浴槽２４内の湯の沸かし上げ要求があると、浴槽２４内の湯を風呂循環ポンプ２７で風呂用熱交換器５に循環させ、浴槽２４内の湯が暖房用缶体１内の高温の熱媒体により間接加熱されることで浴槽２４内の湯を適温まで沸かし上げたり保温したりするものである。
【００３２】
そして、３０は給湯回路Ｂの給湯管１７から分岐されて風呂回路Ｃに湯張り弁３１及び三方弁３２を介して接続される湯張り管で、風呂の湯張り要求があると三方弁３２を風呂回路Ｃと湯張り管３０とを連通するよう切り換えると共に湯張り弁３１を開弁し、給湯用熱交換器４で加熱された湯を風呂回路Ｃ内に流入させて風呂浴槽２４への一定量の湯張りを行うものである。
【００３３】
ここで、３３は暖房用缶体１の上下部を結ぶ連通パイプ、３４はこの連通パイプ３３途中に備えられた撹拌用循環ポンプで、給湯時または風呂運転時に駆動して、暖房用缶体１内の温度を上下均一化させるもので、給湯または風呂運転が終了するまで継続駆動して撹拌を行うものである。尚、暖房運転時は暖房用循環ポンプ９が駆動されているため、撹拌用循環ポンプ３４は駆動しないようにすることも可能である。
【００３４】
３５はリモコンで、給湯運転スイッチ３６や暖房運転スイッチ３７，風呂追い焚き運転スイッチ３８，設定温度ボタン３９等各種スイッチやボタンを設けた操作部４０と、給湯温度や設定温度、操作したスイッチに応じた表示などを行う表示部４１を有するものである。
【００３５】
次に、本発明の一実施形態の作動について説明する。
図２において、まず、リモコン３５の暖房運転スイッチ３７をＯＮ操作すると（Ｓ１）、次に給湯運転スイッチ３６がＯＮ操作されているか確認し（Ｓ２）、給湯運転スイッチ３６がＯＮ操作されていれば、更に現在出湯されているかを確認する。（Ｓ３）
【００３６】
（Ｓ３）で出湯されていることが確認されれば、「給湯運転中」と判断して暖房用缶体１内の目標温水温度を給湯運転設定温度の９０℃に設定して（Ｓ４）、バーナ部２の燃焼を開始する。（Ｓ５）
【００３７】
これにより給湯運転実施中、つまり出湯中は暖房用缶体１内の温水を９０℃の高温にするので、この暖房缶体１内の温水と蛇管にて熱交換することにより加熱される給湯回路Ｂの温水も、７０〜９０℃の高温に昇温されて高温の給湯水を出湯することができ、更に暖房用循環ポンプ９は停止しているので、暖房回路Ａには高温の温水が流れず、暖房回路Ａの床暖房用放熱器７の放熱量が大きすぎて床面の温度が高くなり過ぎたり、床暖房用放熱器７内の温水配管が高温水により変形したり破損したりすることを防止できるものである。
【００３８】
そして（Ｓ５）でバーナ部２の燃焼を開始した後、次に給湯運転スイッチ３６がＯＮ操作されているか確認し（Ｓ６）、給湯運転スイッチ３６がＯＮ操作されていれば、更に現在出湯されているかを確認する。（Ｓ７）
【００３９】
この（Ｓ７）で出湯されていることが確認されれば（Ｓ６）へ戻って給湯運転を継続し、（Ｓ６）で給湯運転スイッチ３６がＯＦＦになっている、または（Ｓ７）で出湯されていないことが確認されれば、「給湯運転が実施されていない」と判断して、暖房運転を行うためにまずバーナ部２の燃焼を停止し（Ｓ８）、次に暖房用缶体１内の温水温度が暖房回路Ａに循環させても問題ない温度の上限である床暖上限温度、本実施例では７０℃として、その床暖上限温度以下に暖房用缶体１内の温水の温度がなっているか確認する。（Ｓ９）
【００４０】
この（Ｓ９）で暖房用缶体１内の温水温度が前記床暖上限温度より高ければ、まだ暖房運転は行えないものと判断して（Ｓ６）へ戻り、（Ｓ９）で暖房用缶体１内の温水温度が前記床暖上限温度以下ならば、暖房運転は行えるものと判断して（Ｓ２）へ戻る。
【００４１】
そして（Ｓ２）で給湯運転スイッチ３６がＯＦＦになっている場合、「給湯運転は行われることはなく、暖房運転のみを行う」と判断して、床暖房用に設定できる範囲の温度で予め設定してある温水温度、本実施例では床暖房用に設定できる温度の範囲４０℃〜６０℃から、５０℃を床暖通常設定温度として暖房運転時の暖房缶体１内の目標温水温度に予め設定し（Ｓ１０）、又（Ｓ３）で現在出湯されていない場合、「給湯運転が行われるかもしれない状態で、暖房運転を行う」と判断して、床暖房用に設定できる範囲の温度で予め設定してある温水温度、本実施例では床暖房用に設定できる温度の範囲４０℃〜６０℃の設定上限の温度、本実施例では６０℃を床暖設定範囲内上限温度として暖房缶体１内の目標温水温度に設定する。（Ｓ１１）
【００４２】
そして（Ｓ１０）、又は（Ｓ１１）で暖房運転時の暖房缶体１内の目標温水温度が決定したら、バーナ部２の燃焼を開始し（Ｓ１２）、暖房用循環ポンプ９をＯＮさせて暖房運転を開始する。（Ｓ１３）
【００４３】
ここで暖房用缶体１内の温水温度が６０℃より高い場合は、バーナ部２を燃焼させずに暖房用循環ポンプ９をＯＮさせて、暖房運転を行ううちに暖房用缶体１内の温水温度が低下して６０℃以下になったら、常に６０℃になるようにバーナ部２の燃焼を開始するものである。
【００４４】
そして（Ｓ１３）で暖房用循環ポンプ９をＯＮさせた後、給湯運転スイッチ３６がＯＮ操作されていないか確認し（Ｓ１４）、給湯運転スイッチ３６がＯＮ操作されていれば、更に現在出湯されているかを確認する。（Ｓ１５）
【００４５】
そして（Ｓ１５）で現在出湯されている場合、「給湯運転が開始された」と判断して暖房用循環ポンプ９をＯＦＦ（Ｓ１６）して（Ｓ４）へ戻り、（Ｓ１４）で給湯運転スイッチ３６がＯＮ操作されていない、又は（Ｓ１５）で現在出湯されていない場合は、暖房運転スイッチ３７がＯＦＦされているか確認し（Ｓ１７）、（Ｓ１７）で暖房運転スイッチ３７がＯＦＦされていれば、「暖房運転終了」と判断して、バーナ部２の燃焼を停止し（Ｓ１８）、暖房用循環ポンプ９をＯＦＦ（Ｓ１９）して（Ｓ１）へ戻り、又（Ｓ１７）で暖房運転スイッチ３７がＯＦＦされていなければ、「暖房運転継続」と判断して、（Ｓ１４）に戻って引き続き暖房運転を継続するものである。
【００４６】
このように暖房運転スイッチ３７がＯＮ操作されて、暖房運転を開始する時に、給湯運転が行われているかいないか、また給湯運転が行われていなければ、行われる可能性があるのかないのか出湯の有無及び給湯運転スイッチ３６の操作状態から判断し、出湯されていれば「給湯運転中の状態」と判断して給湯運転を優先させ、暖房用缶体１内の温水の目標温水温度を給湯運転のための設定温度である給湯運転設定温度、例えば９０℃を設定して給湯運転を行うと共に、暖房用循環ポンプ９を停止して暖房回路Ａに床暖房の上限温度を超えた高温の温水が流れないようにして、暖房回路Ａの床暖房用放熱器７の放熱量が大きすぎて床面の温度が高くなり過ぎたり、床暖房用放熱器７内の温水配管が高温水により変形したり破損したりすることを防止できるものである。
【００４７】
又給湯運転スイッチ３６がＯＮ状態で且つ出湯がされていなければ、「いつ給湯運転が開始されるかもしれない状態」と判断して給湯運転を考慮して、暖房用缶体１内の温水の目標温水温度を、床暖房を行う温水の設定温度範囲内の最高温度である給湯運転設定温度、例えば６０℃を設定して暖房運転、つまり床暖房を行うことにより、暖房用缶体１内の温水の温度を給湯運転のための設定温度との温度差を最小にして床暖房を行って、床暖房を行っている時に出湯されて給湯運転が開始されても、暖房用缶体１内の温水の給湯運転のための設定温度、例えば９０℃に上昇させるまでの時間を最短にして、必要な給湯温度を素早く達成できるものである。
【００４８】
又給湯運転スイッチ３６がＯＦＦ状態であれば、「給湯運転は行われない状態」と判断して暖房運転を優先させ、暖房用缶体１内の温水の目標温水温度を、床暖房を行うために通常予め設定されている設定温度である床暖通常設定温度、例えば５０℃を設定して暖房運転を行うので、快適な床暖房を行うことができるものである。
【００４９】
次に本発明のその他の実施形態の作動について説明する。
図３において、まず、リモコン３５の暖房運転スイッチ３７がＯＮ操作されているか確認し（Ｓ２０）、そこで暖房運転スイッチ３７がＯＦＦ状態であれば、次にリモコン３５の給湯運転スイッチ３６又は風呂追い焚き運転スイッチ３８がＯＮ操作されているか確認し（Ｓ２１）、そこで給湯運転スイッチ３６又は風呂追い焚き運転スイッチ３８がＯＮ状態であれば、それに対応して給湯運転又は風呂追い焚き運転制御を行い（Ｓ２２）、（Ｓ２１）で、給湯運転スイッチ３６及び風呂追い焚き運転スイッチ３８がＯＦＦ状態であれば、（Ｓ２０）へ戻る。
【００５０】
又（Ｓ２０）で、暖房運転スイッチ３７がＯＮ操作されていれば、次に給湯運転スイッチ３６がＯＮ操作されているか確認し（Ｓ２３）、そこで給湯運転スイッチ３６がＯＦＦ状態であれば、「給湯運転は行われることはなく、暖房運転のみを行う」と判断して、床暖通常設定温度、つまり暖房運転時に床暖房用に設定できる温度の範囲から予め設定してある温水温度、本実施例では床暖房用に設定できる温度の範囲４０℃〜６０℃から、予め５０℃を設定してあるので、暖房缶体１内の目標温水温度として床暖通常設定温度５０℃を設定する。（Ｓ２４）
【００５１】
又（Ｓ２３）で、給湯運転スイッチ３６がＯＮ操作されていれば、次に更に現在出湯されているかを確認し（Ｓ２５）、そこで出湯されていることが確認されれば、「給湯運転中」と判断して暖房用缶体１内の目標温水温度を給湯運転設定温度の９０℃に設定し（Ｓ４）、又（Ｓ２５）で出湯されていないことが確認されれば、「給湯運転が行われるかもしれない状態で、暖房運転を行う」と判断して、床暖設定範囲内上限温度、つまり暖房運転時に床暖房用に設定できる温度の範囲の上限温水温度、本実施例では床暖房用に設定できる温度の範囲４０℃〜６０℃の上限である６０℃を予め設定してあるので、暖房缶体１内の目標温水温度として床暖設定範囲内上限温度６０℃を設定する。（Ｓ２７）
【００５２】
そして（Ｓ２４）又は（Ｓ２７）で暖房缶体１内の目標温水温度が決定されると、次にバーナ部２の燃焼を開始し（Ｓ２８）、暖房用循環ポンプ９をＯＮさせて暖房運転を開始する。（Ｓ２９）
【００５３】
そして、（Ｓ２９）で暖房用循環ポンプ９をＯＮさせて暖房運転を開始させた後は、次に給湯運転スイッチ３６がＯＮ操作されているか確認し（Ｓ３０）、そこで給湯運転スイッチ３６がＯＦＦ状態であれば、（Ｓ３０）へ戻り、（Ｓ３０）で給湯運転スイッチ３６がＯＮ状態であれば、次に更に現在出湯されているかを確認し（Ｓ３１）、そこで出湯されていることが確認されれば、「給湯運転が開始された」と判断して、暖房用循環ポンプ９をＯＦＦさせて暖房運転を停止し（Ｓ３２）、そして次に暖房運転スイッチ３７がＯＮ状態であるか確認し（Ｓ３３）、そこで暖房運転スイッチ３７がＯＦＦ状態であれば「暖房運転は行わない」と判断して（Ｓ２２）へ進んで、給湯運転又は風呂追い焚き運転制御を行い、（Ｓ３３）で暖房用循環ポンプ９がＯＮ状態であれば「引き続き暖房運転も行いたい」と判断して（Ｓ２６）へ進んで、暖房用缶体１内の目標温水温度を給湯運転設定温度の９０℃に設定する。
【００５４】
又（Ｓ３１）で、出湯されていないことが確認されれば、すでに（Ｓ３０）で給湯運転スイッチ３６がＯＮ状態であることが確認されていることから、「給湯運転が行われるかもしれない状態で、暖房運転を行う」と判断して、暖房缶体１内の目標温水温度を床暖設定範囲内上限温度６０℃に設定し直して（Ｓ３４）、次に暖房運転スイッチ３７がＯＮ状態であるか確認し（Ｓ３５）、そこで暖房運転スイッチ３７がＯＦＦ状態であれば（Ｓ２２）へ進んで、給湯運転又は風呂追い焚き運転制御を行い、（Ｓ３５）で暖房用循環ポンプ９がＯＮ状態であれば（Ｓ３０）へ戻るもので、前記のように（Ｓ３１）で出湯が確認されたか、（Ｓ３５）で暖房用循環ポンプ９がＯＦＦ状態であることが確認された場合以外は、暖房運転を連続運転するものである。
【００５５】
そして次に（Ｓ２６）で暖房用缶体１内の目標温水温度を給湯運転設定温度の９０℃に設定した後、バーナ部２の燃焼を開始し（Ｓ３６）、更にタイマー１をスタートさせてから（Ｓ３７）、暖房用循環ポンプ９をＯＮさせて（Ｓ３８）、給湯運転を行いながら暖房運転を開始する。
【００５６】
そして次にタイマー１がスタートしてから設定時間Ｔが経過したか確認し（Ｓ３９）、設定時間Ｔが経過していた時は、暖房用循環ポンプ９をＯＦＦさせて（Ｓ４０）暖房運転をいったん停止すると共に、タイマー２をスタートさせる。（Ｓ４１）
【００５７】
そして（Ｓ４１）でタイマー２をスタートさせた後、給湯運転が停止されたかを確認するためにまず、給湯運転スイッチ３６がＯＮ状態であるか確認し（Ｓ４２）、そこで給湯運転スイッチ３６がＯＮ状態であれば、次に更に現在出湯されているかを確認し（Ｓ４３）、そこで出湯されていることが確認されれば、「給湯運転中」と判断して、次にタイマー２がスタートしてから設定時間ｔが経過したか確認する。（Ｓ４４）
【００５８】
そして（Ｓ４４）でタイマー２がスタートしてから設定時間ｔが経過していた時は、（Ｓ３７）へ戻ってタイマー１をスタートさせてから、暖房用循環ポンプ９をＯＮさせて（Ｓ３８）、給湯運転を行いながら再び暖房運転を開始する。
【００５９】
これにより通常の床暖房運転として連続運転させられない高温、つまり給湯運転設定温度９０℃である温水を、所定時間間隔で循環させる間欠運転をさせることにより、給湯運転で十分な温度の温水を供給することを優先させつつ、暖房運転も行うので、給湯運転中は暖房用循環ポンプ９をＯＦＦさせて暖房運転を停止させるよりも室内の温度が低下して寒くなるのを防止できるものである。
【００６０】
又、温水を所定時間間隔で循環させる間欠運転をさせることにより、温水が高温のため、連続運転させた場合の問題である、暖房回路Ａの床暖房用放熱器７の放熱量が大きすぎて床面の温度が高くなり過ぎることや、床暖房用放熱器７内の温水配管が高温水により変形したり破損することを発生しにくくしながら、暖房感が低下するのを防止できるものである。
【００６１】
又（Ｓ４２）で給湯運転スイッチ３６がＯＦＦ状態又は、（Ｓ４３）で現在出湯されていないのを確認した時、「給湯運転停止」と判断して、バーナ部２の燃焼を停止し（Ｓ４５）、次に暖房用缶体１内の温水温度が暖房運転時に床暖房用に設定できる温度の範囲の上限である床暖設定範囲内上限温度よりも高温で且つ連続して暖房運転を行っても、床面の温度が高くなり過ぎることや、床暖房用放熱器７内の温水配管が高温水により変形したり破損するという問題がぎりぎり発生しないという温度の上限である床暖上限温度、本実施例では７０℃を予め設定してあるので、暖房缶体１内の温水温度が床暖上限温度７０℃以下になったかを確認する。（Ｓ４６）
【００６２】
そして、（Ｓ４６）で暖房缶体１内の温水温度が床暖上限温度７０℃以下になっていた時（Ｓ２０）へ戻り、（Ｓ４６）で暖房缶体１内の温水温度が床暖上限温度７０℃より高ければ（Ｓ４２）へ戻るものである。
【００６３】
又（Ｓ３９）でタイマー１をスタートさせてから設定時間Ｔが経過していない時は、次に給湯運転スイッチ３６がＯＮ状態であるか確認し（Ｓ４７）、そこで給湯運転スイッチ３６がＯＮ状態であれば、次に更に現在出湯されているかを確認し（Ｓ４８）、そこで出湯されていることが確認されれば、「給湯運転中」と判断して（Ｓ３９）へ戻り、又（Ｓ４７）で給湯運転スイッチ３６がＯＦＦ状態又は、（Ｓ４８）で現在出湯されていないのを確認した時、「給湯運転停止」と判断して、バーナ部２の燃焼を停止し（Ｓ４９）、次に暖房用缶体１内の温水温度が床暖上限温度、本実施例では７０℃を予め設定してあるので、暖房缶体１内の温水温度が床暖上限温度７０℃以下になったかを確認する。（Ｓ５０）
【００６４】
そして、（Ｓ５０）で暖房缶体１内の温水温度が床暖上限温度７０℃以下になっていた時（Ｓ２０）へ戻り、（Ｓ４６）で暖房缶体１内の温水温度が床暖上限温度７０℃より高ければ（Ｓ３９２）へ戻るものである。
【００６５】
このように暖房運転スイッチ３７がＯＮ操作されて、暖房運転を開始する時に給湯運転が行われているかいないか、また給湯運転が行われていなければ、行われる可能性があるのかないのか出湯の有無及び給湯運転スイッチ３６の操作状態から判断し、出湯されていれば「給湯運転中の状態」と判断して給湯運転を優先させ、暖房用缶体１内の温水の目標温水温度を給湯運転のための設定温度、例えば９０℃に設定して給湯運転を行うと共に、暖房用循環ポンプ９を所定時間間隔でＯＮ・ＯＦＦさせることにより、暖房回路Ａに床暖房の上限温度を超えた高温の温水が連続して循環して、暖房回路Ａの床暖房用放熱器７の放熱量が大きすぎて床面の温度が高くなり過ぎたり、床暖房用放熱器７内の温水配管が高温水により変形したり破損したりすることを発生しにくくしながら、暖房運転停止により室内の温度が低下して寒くなり、暖房感が低下するのを防止できるものである。
【００６６】
又給湯運転スイッチ３６がＯＮ状態で且つ出湯がされていなければ、「いつ給湯運転が開始されるかもしれない状態」と判断して給湯運転を考慮して、暖房用缶体１内の温水の目標温水温度を、床暖房を行う温水の設定温度範囲内の最高温度である床暖設定範囲内上限温度、例えば６０℃を設定して暖房運転、つまり床暖房を行うことにより、暖房用缶体１内の温水の温度を給湯運転のための設定温度との温度差を最小にして床暖房を行って、床暖房を行っている時に出湯されて給湯運転が開始されても、暖房用缶体１内の温水の給湯運転のための設定温度である給湯運転設定温度、例えば９０℃に上昇させるまでの時間を最短にして、必要な給湯温度を素早く達成できるものである。
【００６７】
又給湯運転スイッチ３６がＯＦＦ状態であれば、「給湯運転は行われない状態」と判断して暖房運転を優先させ、暖房用缶体１内の温水の目標温水温度を、床暖房を行うために通常予め設定されている設定温度である床暖通常設定温度、例えば５０℃を設定して暖房運転を行うので、快適な床暖房を行うことができるものである。
【００６８】
尚、本実施例では貯湯缶体を暖房用缶体１として缶体内の温水で暖房を行うと共に、暖房用缶体１内に設けられ、暖房用缶体１内の温水と熱交換する２つの蛇管を給湯用熱交換器４と風呂用熱交換器５としたがこれに限定されず、例えば貯湯缶体を給湯用缶体として缶体内の温水で給湯を行うと共に、給湯用缶体内の温水と熱交換する２つの蛇管を暖房用熱交換器と風呂用熱交換器としてもよい。
【００６９】
この場合も暖房運転スイッチ３７がＯＮ状態で且つ出湯されていれば、給湯用缶体内の目標温水温度を給湯運転設定温度の９０℃に設定すると共に、蛇管による暖房用熱交換器を備えた暖房回路は、出湯されている間暖房用循環ポンプ９を停止又は、所定時間間隔で間欠運転させ、又暖房運転スイッチ３７がＯＮ状態で且つ給湯運転スイッチ３６がＯＮ状態であって出湯はされていない場合は、給湯用缶体内の目標温水温度を、暖房用熱交換器で熱交換される暖房用温水の温度が、床暖設定範囲内上限温度の６０℃になるような温水温度、例えば床暖設定範囲内上限温度６０℃より少し高い温度、例えば６５℃とか７０℃に設定されると共に、暖房用循環ポンプ９を連続運転し、又暖房運転スイッチ３７がＯＮ状態で且つ給湯運転スイッチ３６がＯＦＦ状態の場合は、給湯用缶体内の目標温水温度を、暖房用熱交換器で熱交換される暖房用温水の温度が、床暖通常設定温度の５０℃になるような温水温度、例えば床暖通常設定温度５０℃より少し高い５５℃とか６０℃に設定されると共に、暖房用循環ポンプ９を連続運転させるものである。
【００７０】
又、本実施例では、暖房運転及び給湯運転を行って出湯されている状態から、暖房運転を行っていて且つ給湯運転スイッチ３６がＯＦＦの状態又は、暖房運転を行っていて且つ給湯運転スイッチ３６がＯＮで出湯されていない状態になった時、バーナ部２の燃焼を停止し、その後暖房用循環ポンプ９から送り出される温水の温度が、床暖房システムに循環させられる許容範囲の上限温度である床暖上限温度以下になったのを検知した時、暖房用循環ポンプ９を運転するが、出湯開始から停止までの時間又は、出湯開始から出湯が停止した後、暖房用循環ポンプ９から送り出される温水の温度が床暖上限温度以下になったのを検知した時までの時間をタイマーで計時し、このタイマーによる計時時間が所定時間以上の時、暖房状態が大きく低下したと判断して暖房用循環ポンプ９を連続運転し、前記タイマーによる計時時間が所定時間未満の時、暖房状態が少し低下したと判断して暖房用循環ポンプ９を間欠運転するようにして、暖房状態が少し低下した状態で、床暖通常設定温度よりかなり高温である床暖上限温度の温水が連続循環されて暖房しすぎになるのを防止するようにしてもよいものである。
【００７１】
又本実施例では、暖房回路Ａに低温水循環の床暖房システムを設置したが、暖房回路Ａに低温水循環の床暖房システムと、高温水循環のファンコンベクタやパネルコンベクタによる暖房システムとを切り替え可能に設けると共に、リモコン３５に床暖・ファンコン切り替えスイッチや床暖モードスイッチを設け、床暖・ファンコン切り替えスイッチを床暖房側へ、又は床暖モードスイッチをＯＮにすると、暖房回路Ａが床暖房システムに接続されて、前記のように暖房スイッチ３７のＯＮ・ＯＦＦと、給湯スイッチ３６のＯＮ・ＯＦＦと、出湯の有無により、貯湯缶体内の目標温水温度を、給湯回路Ｂからの温水が給湯運転設定温度となる温度と、暖房回路Ａに送り出される温水が床暖上限温度となる温度と、暖房回路Ａに送り出される温水が床暖通常設定温度となる温度の３つの温度のどれかに設定して、給湯運転、暖房運転を行い、床暖・ファンコン切り替えスイッチをファンコン側へ、又は床暖モードスイッチをＯＦＦにすると、暖房回路Ａがファンコンベクタやパネルコンベクタによる暖房システムに接続されて、従来のように給湯運転で出湯されていても、出湯時に高温となる暖房回路の温水をファンコン・パネルコンベクタの暖房システムに循環させて、暖房運転を行うようにしてもよい。
【００７２】
又暖房運転と風呂の追い焚き運転が同時運転される時は、前記給湯運転を風呂の追い焚き運転に置き換えて、追い焚き運転中を給湯運転の出湯中として貯湯缶体内の温水温度を９０℃の給湯運転設定温度に設定して暖房用循環ポンプ９を停止または間欠運転し、風呂の浴槽水の温度がリモコン３６で設定した沸き上げ温度に達した時、貯湯缶体内の温水温度を５０℃の床暖通常設定温度に設定して暖房用循環ポンプ９を連続運転させるものである。
【００７３】
又、暖房運転、給湯運転、風呂の追い焚き運転の３つの運転が同時の時は、給湯の出湯が一番に優先され、次に風呂の追い焚き運転が優先され、風呂の追い焚き運転が終了するまでは、貯湯缶体内の温水温度を９０℃の給湯運転設定温度に設定して暖房用循環ポンプ９を停止または間欠運転し、風呂の追い焚き運転が終了し且つ給湯運転スイッチ３６がＯＮ状態で出湯されていない時、貯湯缶体内の温水温度を６０℃の床暖設定範囲内上限温度に設定して暖房用循環ポンプ９を連続運転し、風呂の追い焚き運転が終了し且つ給湯運転スイッチ３６がＯＦＦ状態の時、貯湯缶体内の温水温度を５０℃の床暖通常設定温度に設定して暖房用循環ポンプ９を連続運転させるものである。
【００７４】
【発明の効果】
以上のように請求項１の給湯暖房装置によれば、暖房運転スイッチがＯＮの状態で且つ出湯されていない時、暖房用循環ポンプから送り出す温水の温度が、床暖通常設定温度になるように貯湯缶体内の目標温水温度を設定して暖房用循環ポンプを連続運転し、前記暖房運転スイッチがＯＮの状態で且つ出湯されている時、給湯回路から送り出される温水の温度が、給湯運転設定温度になるように貯湯缶体内の目標温水温度を設定して暖房用循環ポンプを停止するようにしたので、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプが停止しているので、暖房回路に送り込まれず、低中温水を循環させる床暖房システムに高温の温水が循環されることによる床面の過熱や床暖房システムの配管の変形、破損が防止できるものである。
【００７５】
又、暖房運転中に出湯し、その出湯が止まった時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、暖房運転時の出湯による暖房運転の停止状態を短くすることができ、出湯時の暖房用循環ポンプの停止による暖房運転の低下を早く回復することができるものである。
【００７６】
又請求項２の給湯暖房装置によれば、暖房運転スイッチがＯＮの状態で且つ出湯されていない時、暖房用循環ポンプから送り出す温水の温度が、床暖通常設定温度になるように貯湯缶体内の目標温水温度を設定して暖房用循環ポンプを連続運転し、前記暖房運転スイッチがＯＮの状態で且つ出湯されている時、給湯回路から送り出される温水の温度が、給湯運転設定温度になるように、貯湯缶体内の目標温水温度を設定して暖房用循環ポンプを間欠運転するので、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプを間欠運転させているので、暖房回路に連続して循環されず、低中温水を循環させる床暖房システムに高温の温水が循環されることによる床面の過熱や床暖房システムの配管の変形、破損が発生するのをできるだけ少なくしつつ、出湯中の暖房運転の低下を少なくできるものである。
【００７７】
又、暖房運転中に出湯し、その出湯が止まった時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、出湯による暖房運転の間欠運転状態を短くすることができ、出湯時の暖房用循環ポンプの間欠運転による暖房運転の低下を少なくすることができるものである。
【００７８】
又請求項３の給湯暖房装置によれば、給湯運転はリモコンの給湯運転スイッチがＯＮの状態で出湯栓が開かれた時に開始する給湯暖房装置に於いて、前記暖房運転スイッチがＯＮで且つ給湯運転スイッチがＯＦＦの時、暖房回路の暖房用循環ポンプから送り出される温水の温度が、床暖通常設定温度になるように貯湯缶体内の目標温水温度を設定して暖房用循環ポンプを連続運転し、暖房運転スイッチ及び給湯運転スイッチがＯＮで且つ出湯されていない時、暖房回路の暖房用循環ポンプから送り出される温水の温度が、床暖設定範囲内上限温度になるように貯湯缶体内の目標温水温度を設定して暖房用循環ポンプを連続運転し、暖房運転スイッチ及び給湯運転スイッチがＯＮで且つ出湯されている時、給湯回路から送り出される温水の温度が、給湯運転設定温度になるように貯湯缶体内の目標温水温度を設定して暖房用循環ポンプを停止するので、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプが停止しているので、暖房回路に送り込まれず、低中温水を循環させる床暖房システムに高温の温水が循環されることによる床面の過熱や床暖房システムの配管の変形、破損が防止できるものである。
【００７９】
又、暖房運転を行っていて、給湯運転スイッチがＯＦＦの時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、暖房運転中で出湯時の暖房用循環ポンプの停止による暖房運転の低下を早く回復することができるものである。
【００８０】
又、暖房運転中に出湯はしないものの給湯運転スイッチがＯＮになった時、暖房回路の暖房用循環ポンプから送り出される温水の温度が、床暖通常設定温度より高い床暖設定範囲内上限温度になるように、貯湯缶体内の目標温水温度を設定して暖房用循環ポンプを連続運転するので、暖房運転を継続して行うことにより暖房運転の低下を防止すると共に、その状態で出湯が開始された時、給湯回路から送り出される温水の温度が出湯するための高温となるように、貯湯缶体内の温水が給湯運転時の所定温度に上昇するまでの時間を短くすることができ、それにより暖房運転中の出湯開始直後の出湯温度の立ち上がりを早くすることができるものである。
【００８１】
又請求項４の給湯暖房装置によれば、給湯運転がリモコンの給湯運転スイッチがＯＮの状態で出湯栓が開かれた時に開始する給湯暖房装置に於いて、前記暖房運転スイッチがＯＮで且つ給湯運転スイッチがＯＦＦの時、暖房回路の暖房用循環ポンプから送り出される温水の温度が、床暖通常設定温度になるように貯湯缶体内の目標温水温度を設定して暖房用循環ポンプを連続運転し、暖房運転スイッチ及び給湯運転スイッチがＯＮで且つ出湯されていない時、暖房回路の暖房用循環ポンプから送り出される温水の温度が、床暖設定範囲内上限温度になるように貯湯缶体内の目標温水温度を設定して暖房用循環ポンプを連続運転し、暖房運転スイッチ及び給湯運転スイッチがＯＮで且つ出湯されている時、給湯回路から送り出される温水の温度が、給湯運転設定温度になるように貯湯缶体内の目標温水温度を設定して暖房用循環ポンプを間欠運転するので、暖房運転を行っていても、給湯運転で出湯される時は、給湯回路から送り出される温水の温度が出湯するための高温となって給湯運転が優先されると共に、出湯するため貯湯缶体内の温水が高温になることにより、床暖房システムに循環できる温度の上限を超えた高温となる暖房回路の温水は、暖房用循環ポンプを間欠運転させているので、暖房回路に連続して循環されず、低中温水を循環させる床暖房システムに高温の温水が循環されることによる床面の過熱や床暖房システムの配管の変形、破損が発生するのをできるだけ少なくしつつ、出湯中の暖房運転の低下を少なくできるものである。
【００８２】
又、暖房運転を行っていて、給湯運転スイッチがＯＦＦの時、暖房回路の暖房用循環ポンプから送り出される温水の温度が床暖房を行う時の通常温度である床暖通常設定温度になるように、貯湯缶体内の目標温水温度を設定して暖房用循環ポンプを連続運転するので、暖房運転中で出湯時の暖房用循環ポンプの停止による暖房運転の低下を早く回復することができるものである。
【００８３】
又、暖房運転中に出湯はしないものの給湯運転スイッチがＯＮになった時、暖房回路の暖房用循環ポンプから送り出される温水の温度が、床暖通常設定温度より高い床暖設定範囲内上限温度になるように、貯湯缶体内の目標温水温度を設定して暖房用循環ポンプを連続運転するので、暖房運転を継続して行うことにより暖房運転の低下を防止すると共に、その状態で出湯が開始された時、給湯回路から送り出される温水の温度が出湯するための高温となるように、貯湯缶体内の温水が給湯運転時の所定温度に上昇するまでの時間を短くすることができ、それにより暖房運転中の出湯開始直後の出湯温度の立ち上がりを早くすることができるものである。
【００８４】
又請求項５の給湯暖房装置によれば、請求項１〜４の給湯暖房装置において、暖房運転及び給湯運転を行って出湯されている状態から、暖房運転を行っていて且つ給湯運転スイッチがＯＦＦの状態又は、暖房運転を行っていて且つ給湯運転スイッチがＯＮで出湯されていない状態になった時、バーナ部の燃焼を停止し、その後暖房用循環ポンプから送り出される温水の温度が、床暖房システムに循環させられる許容範囲の上限温度である床暖上限温度以下になったのを検知した時、暖房用循環ポンプを運転するので、出湯中の状態から、給湯運転スイッチがＯＮ状態であって出湯されていない状態になった時、バーナ部の燃焼を停止して、暖房運転を早く再開するために、床暖設定範囲内上限温度より高温で、床暖房システムに循環させることが許される上限温度である床暖上限温度以下までに暖房用循環ポンプから送り出される温水が温度低下したら、暖房運転を再開するので、暖房運転中で出湯時の暖房用循環ポンプの停止による暖房運転の低下を早く回復することができるものである。
【図面の簡単な説明】
【図１】本発明一実施形態を付した給湯暖房装置の概略構成図。
【図２】同暖房運転のフローチャート図。
【図３】本発明その他の一実施形態を付した給湯暖房装置の暖房運転のフローチャート図。
【符号の説明】
１  暖房用缶体
２  バーナ部
４  暖房用熱交器
５  風呂用熱交器
９  暖房用循環ポンプ
３５  リモコン
３６  給湯運転スイッチ
３７  暖房運転スイッチ
３８  風呂運転スイッチ
Ａ  暖房回路
Ｂ  給湯回路
Ｃ  風呂回路
【図１】
0003818891.tif 000002
【図２】
0003818891.tif 000003
【図３】
0003818891.tif 000004